(57)【特許請求の範囲】
【請求項１】
テレビジョン装置であって、
筐体と、
該筐体に置かれた、当該テレビジョン装置を制御する制御手段と、
前記筐体の外側に置かれ、前記制御手段に接続された、使用者に対して当該テレビジョン装置の特徴及び／又は機能へのアクセスを提供する前面パネル配列と
を有し、
前記制御手段は、当該テレビジョン装置の最初の起動時に点灯装置の有無を検出するよう動作し、前記点灯装置は、存在する場合に、前記制御手段に接続され、複数の照度レベルで前記前面パネル配列を照射することができ、
前記制御手段が当該テレビジョン装置の前記最初の起動時に前記点灯装置の存在を検出するとき、使用者が前記複数の照度レベルから前記点灯装置の照度のレベルを選択することを可能にするように光制御メニューが提供され、
前記制御手段が当該テレビジョン装置の前記最初の起動時に前記点灯装置の欠如を検出するとき、前記光制御メニューは提供されない、テレビジョン装置。
【請求項２】
テレビジョン装置の前面パネル配列に様々な強さの光を供給する方法であって、
前記テレビジョン装置の最初の起動時に点灯装置の有無を検出するステップを有し、前記点灯装置は、存在する場合に、複数の照度レベルで前記前面パネル配列を照射することができ、
前記点灯装置の存在が検出された場合に、前記テレビジョン装置の画面上の制御メニューに、使用者が前記点灯装置に対して前記複数の照度レベルのうちの一つを選択することを可能にする光制御メニューを提供するステップを有し、
前記点灯装置の欠如が検出された場合に、前記光制御メニューを伴わずに前記画面上の制御メニューを提供するステップを有する、方法。
【発明の詳細な説明】
【技術分野】
【０００１】
本発明は、テレビジョン装置のキーパッドの照明、更に具体的には、照明装置の存在を検出し、テレビジョン装置でのキーパッドの照明光の強さを制御する回路に関する。
【背景技術】
【０００２】
例えばテレビのような現在の電子装置は、テレビが実行するテレビに対する命令を発生し、送信するリモートコントローラを使用する。従って、電子装置の特性及び／又は機能の全ては、リモートコントローラによってアクセス可能である。リモートコントローラに関する問題は、それらが置き忘れられ、失われ、あるいは一時的に利用できなくなりうることである。リモートコントローラが利用できない時、テレビの特性及び／又は機能はアクセス不可能である。このため、テレビのような電子装置は、テレビの基本的な特性及び／又は機能のうちの少なくとも幾つかへのアクセスを使用者に提供するボタン、キー等をテレビの筐体上に有する。これは、テレビが少なくとも限定された方法でリモートコントローラを用いずに操作されることを可能にする。一般に、ボタン又はキーは、使用者による容易なアクセスのために、テレビの前面パネル上に設けられる。
【０００３】
このようなボタンがテレビに設けられる一方で、それらは、周囲の光が不十分である時には容易に識別されえない。更に、幾つかのボタンは、パネル、ドア、又はボタンを見ること及び／又はボタンのラベルを読むことを困難にするようなものの後ろに置かれる。更に、様々な周囲の照明状態は、容易にボタンを識別できないようにする。
【発明の開示】
【発明が解決しようとする課題】
【０００４】
従って、必要とされるものは、テレビジョン装置の前面パネル上のボタンを照射する点灯装置であることが、上述から明らかである。
【０００５】
更に、必要とされるものは、テレビジョン装置の前面パネル上のボタンの様々な強さの照明を提供する点灯装置であることは、上述から明らかである。
【０００６】
これらの必要性及び他は、本発明の原理の出願によって達成され、且つ／あるいは、本明細書で示される及び／又は記述される一以上の様々な形及び／又は構造において具現化される。
【課題を解決するための手段】
【０００７】
本発明は、テレビジョン装置の外側の前面パネル配列に置かれたボタンの様々な照明を提供する。回路は、ＬＥＤの存在を検出し、存在する場合には、使用者がＬＥＤの輝度を制御するようメニュー項目を加える。
【０００８】
一つの形では、筐体と、該筐体に含まれ、テレビジョン装置の制御をもたらすよう作動する制御器と、該筐体の外側にあり、該制御器に接続された前面パネル配列と、該筐体の外側に置かれ、該前面パネル配列を照射し、該制御器に接続され、複数の照度レベルを提供するよう該制御器と協働して作動する点灯装置とを有するテレビジョン装置が設けられる。
【０００９】
他の形では、テレビジョン装置の前面パネル配列に様々な強さの光を供給する方法が提供される。該方法は、該テレビジョン装置上にあり、該テレビジョン装置の該前面パネル配列を照射するよう作動する点灯装置を設けるステップと、該テレビジョン装置の最初の起動時に該点灯装置の存在を検出するステップと、該点灯装置が検出された時に該テレビジョン装置の画面上の制御メニューに、使用者が該点灯装置に対して複数の光照度レベルのうちの一つを選択することを可能にする光制御メニューを提供するステップとを有する。
【発明を実施するための最良の形態】
【００１０】
添付の図において、対応する参照記号は、幾つかの図に亘って、対応する部分を示す。
【００１１】
ここで図１を参照すると、概して２０と符号を付与され、ここでは集合的にテレビと表わされるテレビジョン装置の模範的な描写が示され、この中で本発明は具現化されうる。テレビ２０は、従来技術で知られる様々な典型的なテレビの構成要素及び本発明を支え、内蔵し、且つ／あるいは包含する筐体又は本体２２を有する。
【００１２】
テレビ２０は、様々なテレビの構成要素を有し、それらのうちの幾つかは、ここで示され、且つ／あるいは記述されるが、他は示されない。テレビ２０は、機能するテレビに対して標準的及び／又は必要である、示され、且つ／あるいは記述された構成要素を有することが理解されるべきである。全ての場合において、テレビは、映像を示すように適合され、構成され、且つ／あるいは作動するディスプレイ２４と、音声を再生するように適合され、構成され、且つ／あるいは作動する一以上のスピーカー２６と、テレビジョン信号を受信、処理し、様々なテレビジョン装置の構成要素を制御するように適合され、構成され、且つ／あるいは作動する制御器３２とを有する。制御器３２は、ディプレイ２４及びスピーカー２６に結合され、ディプレイ２４に映像を示し、一以上のスピーカー２６で音声を再生するよう適切な信号を供給する。
【００１３】
テレビ２０は、複数のボタン、キー等３０を有する前面パネル２８を更に有する。それらのボタン、キー等の組み合わせは、前面パネル配列又はボタンの前面パネル配列とみなされても良い。ボタン３０は、テレビ２０の様々な特性及び／又は機能の制御を提供する。前面パネル２８のボタン３０は、前面パネル２８と制御器３２との間の点線によって表わされるように制御器３２に接続される。これにより、ボタン３０は、制御器３２に適切な信号を供給する。
【００１４】
テレビ２０はまた、リモートコントローラ又は遠隔（図示せず）から幾つかの受信命令を受信、読み取り及び／又は利用するように、制御器３２に結合されたリモートコントロール信号検出器３８を有する。あるいは、図示しないが、リモートコントロール信号検出器３８は、代わりに制御器３２に結合された信号受信回路に結合されても良い。一つの形では、リモートコントロール信号検出器３８は、赤外線（IR）検出器又は受信器であり、リモートコントローラは赤外線信号を出力する。当然ながら、他の方法のリモート信号の供給及びリモート信号の受信も検討される。
【００１５】
本発明の一つの様相によれば、テレビ２０は、光３４及び関連する回路／論理３６を有する点灯又は照明装置３３を有する。光３４は、光（光３４から放射する線により表示）が輝くことによって前面パネル２８のボタン３０を照らすように、筐体２２に置かれる。光３４は、制御器３２に結合された回路／論理３６に結合される（二つの構成要素を接続する点線によって表示）。点灯装置の回路／論理３６は、光に照度の様々なレベル及び／又は低めの強さから高めの強さまでの照度の連続的な範囲を供給させるように、光３４を調整又は制御するよう単独に、制御器３２と協働して、あるいは制御器３２によって作動する。この様々な照明の特性／機能は、画面上のメニューを介する又は直接的にリモートコントローラを介するような様々な方法で使用者によって制御及び／又は変更を成されても良い。
【００１６】
ここで、図２を参照すると、光３４の模範的な形のブロック図が表わされる。光３４が多数の形を取りうる一方で、光３４の望ましい実施例は、光導管４２を有するＬＥＤ４０である。更に具体的には、ＬＥＤ４０は、光導管４２に焦点を合わせられた青色ＬＥＤである。光導管４２から放射する光は、前面パネル配列２８上に焦点を合わせられる。図２中に示されないが、光３４は、回路／論理３６に接続される。当然ながら、他の形式の光が使用されても良い。
【００１７】
現在の様々な強さの点灯装置３３は、制御器３２が形成される前又は制御器３２が形成された後のいずれかにテレビ２０に設けられうる。制御器３２が形成される前に様々な強さの点灯装置３３が設けられる場合、制御器３２は、上で与えられる方法で点灯装置３３の機能を実現する必須のハードウェア及びソフトウェアを有する。しかし、本発明の一つの様相によれば、点灯装置３３は、大概、制御器３２が形成された後にテレビ２２に加えられる。点灯装置３３が追加物である（即ち、制御器３２の形成後に加えられる）場合、回路／論理３６は、制御器３２と協働して、テレビが点灯装置３３（即ち、光３４）を有するか否かの自動検出をもたらす。
【００１８】
図３を参照すると、点灯装置１２２が本発明の原理に従って追加されるテレビ１２０のブロック図が表わされる。従って、この様相によれば、点灯装置１２２は、テレビが形成された後にテレビ１２０に加えられる。具体的には、図３のテレビ１２０は、ハードウェア、メモリ、及び他の構成要素を有する予め形成された制御器１２８を有するテレビを表わす。
【００１９】
テレビ１２０は、様々なテレビの特性及び／又は機能の制御用ボタンを有する前面パネルの配列又は組立部１３０、ディスプレイ１３２、及び一以上のスピーカー１３４を有する。点線によって表わされるように、テレビ１２０は、それに組み込まれた点灯装置１２２を有する。点灯装置１２２は、光又は光源１２４、並びに操作及び検出用の回路／論理１２６を有する。光１２４は、操作及び検出用の回路／論理１２６に接続され、一方で、操作及び検出用の回路／論理１２６は、制御器１２８に接続される。制御器１２８は、操作及び検出用の回路／論理１２６を介して光に制御信号を供給する。操作及び検出用の回路／論理１２６は、光１２４が存在する時に制御器１２８に検出信号を供給する。一つの形では、点灯装置１２２は、二本の単線を介して制御器１２８に接続される。一つの単線は、操作及び検出用の回路／論理１２６から制御器１２８に検出信号を供給する。一方で、制御器１２８は、もう一つの単線を介して光１２４を明るくし、光１２４の強さを変化させるために、操作及び検出用の回路／論理１２６に制御信号を供給する。望ましくは、必須ではないが、点灯装置１２２は、六つ以上の光度のレベルを提供する。これらのレベルは、テレビ１２０の画面上のメニューを介して使用者によって選択可能である。更に、制御器１２８は、光１２４の単純なオン／オフ制御を提供しても良い。更に、操作及び検出用の回路／論理１２６は、テレビ１２０の電源が停止している時に光１２４を点灯させるために、光１２４に予備電力を供給しても良い。
【００２０】
操作及び検出用の回路／論理１２６はまた、光１２４の存在を検出し、制御器１２８に一つ又は複数の検出信号を供給するよう作動し、構成され、且つ／あるいは適合される。望ましくは、光の検出は、自動的に成し遂げられる。光１２４の自動検出に加えて、本発明は、使用者が光１２４を制御できるようにする。具体的には、光１２４の強さのレベル（照明レベル）は、使用者によって制御可能である。一つの形では、これは、テレビ１２０の既存の画面上のメニュー構造にメニュー、メニュー項目又はメニュー選択を加えることを必要とする。光制御メニューは、使用者が光１２４の強さを強さ範囲内で変化させられることを可能にする。光制御メニューはまた、使用者がいつ何時又は予め設定した時間のいずれかに光１２４をオン及びオフとすることを可能にする。望ましくは、これは、リモートコントローラ並びに既存の画面上のメニュー構造に加えられる一以上の画面上のメニュー、選択及び／又は選抜を介して使用者によって成し遂げられる。
【００２１】
光（例えばＬＥＤダイオード）の存在は、制御器１２８が起動された後及び／又は使用者／購入者による最初のテレビの設定の間（即ち、テレビの最初の使用者の電源投入の間）に決定される。光の検出は、光制御メニュー／ソフトウェアに、テレビジョンメニューを取り込ませ、それに加えさせる。更に図４を参照すると、制御器１２８の模範的な形のブロック図が表わされる。制御器１２８の様々なブロック又はボックスは、制御器１２８の、並びに／又は、回路構成／論理に言い換えられる範囲で実際の組み込まれた回路、回路構成及び／若しくは論理に対する、機能及び／又は性能を表わすことが、最初に認識されるべきである。テレビジョン制御器１２８は、処理及び制御の機能を提供する処理又は主制御部Ｕ１  １４０、キーボード制御部ＦＰＧＡ  Ｕ２  １４２、メモリ１４４、画面上表示処理１４６、並びに他の構成要素１４８を有する。メモリ１４４は、プログラム命令と、データと、主制御部１４０及び制御器１２８の他の構成要素又はモジュールによって使用される他の情報とを保存する。光の存在の自動検出のプログラミング、主なテレビジョンメニューに光制御メニューを加えるプログラミング、主なテレビジョンメニューに関するプログラミング、及び他のプログラミングが、メモリ１４４に保持される。メモリ１４４は、一つ又は幾つかの形式のメモリであっても良く、且つ／あるいは、様々なメモリ又は保存要素から構成されても良い。
【００２２】
一つの形で、光の自動検出の過程は、以下の方法で実行されても良い。テレビジョンソフトウェア（プログラム命令）は、制御器１２８の主制御部１４０でのデジタル／アナログ変換（Ｄ／Ａ）をその最小レベルに設定し、その時フィールド・プログラマブル・ゲート・アレイ（ＦＰＧＡ）  Ｕ２  １４２で自動検出ピンを読む。次に、自動検出ピンでの信号の検出は、プログラム命令に、主なテレビジョンメニュー内に光制御メニューを読み込ませる（あるいは、光制御メニューを作動させる）。他の形では、後述される図５の回路図で表わされるように、光の自動検出の過程は、既存の接続／機能を有するピンを使用し、それに自動検出信号ラインを多重化することによって実行されても良い。この場合、自動検出ルーチンが作動する時、Ｕ２、即ちＦＰＧＡ上のキーボード駆動（ＫＤ）ラインは、入力に設定される。同時に、Ｕ１、即ち高精細度テレビ制御部内で発生するＰＷＭは、最初に最大に設定される（本出願では１０μＦのキャパシタであるＣ２を放電するために）。次にＰＷＭは、Ｑ１のコレクタが浮上することを可能にするようにその最小値に設定される。ＬＥＤ１が存在する場合、ＬＥＤでの少量の電流のみによって、電圧降下は２．５Ｖ以下であり、Ｃ２での電圧は２．５Ｖ以下である。この電圧は、Ｒ１０／Ｒ１１のドライバによって、２．０Ｖより大きい電圧まで下げられる（論理１に対するＵ２のＫＤラインの入力閾値は、２．０Ｖより大きい）。ＬＥＤが存在しない場合、本出願では１００ｋΩであるＲ１１は、ＫＤラインを＜０．８Ｖまで引き込む。これは、Ｕ２のＫＤラインの入力閾値である。通常動作において、ＫＤピンは、キーボードを操作するために駆動信号を供給する。自動検出ルーチンは、装置がプラグで接続される時はいつでも成される。
【００２３】
上述されるように、ダイオードのような光の存在が検出される時、主なテレビの画面上のメニューは、光制御メニューを含むよう変えられる。光制御メニューは、光の明るさ（強さ）の選択を使用者に認める。この実施例において、制御器１２８は前もって存在するので、メニューに対するプログラム命令が供給され、光が検出されない場合には光制御メニューを含まないためのプログラム命令が供給される。従って、光制御メニューは、メモリに供給されるが、光が検出される時にのみ主なテレビジョンメニューに含まれる。
【００２４】
ここで図５を参照すると、制御器１２８の部分又は構成要素及びキーボード又は前面パネル配列（ＦＰＡ）１５２に接続又は結合を成された模範的な点灯装置の回路／論理から成り、概して１５０で示される回路が表わされる。望ましくは、ＬＥＤ１は、必須ではないが、ＬＥＤ１がテレビジョン装置上の又はそれから離れたキーボード１５２を照射することを可能にするよう５Ｖの予備供給によって電力を供給される。抵抗器Ｒ４の形での抵抗は、５Ｖ供給とＬＥＤ１との間に設けられる。抵抗器Ｒ４は、静電放電（ＥＳＤ）／サージ保護抵抗であり、キーボード１５２への静電放電の間にＬＥＤ１での電流を制限し、あるいはＬＥＤ１の陰極が不注意で接地される場合にＬＥＤ１での電流を制限する。
【００２５】
回路１５０は、ＬＥＤ１の両端に、あるいはそれに並列に、抵抗器Ｒ７の形で抵抗を任意に有しても良い（点線表示）。抵抗器Ｒ７は、ＬＥＤ１の輝度の変動を低減するために使用される。付加的な静電放電保護がトランジスタＱ１に設けられる。具体的には、キャパシタＣ２の形での容量、インダクタＦＢ１の形でのインダクタンス、及び抵抗器Ｒ３の形での抵抗は、トランジスタＱ１のコレクタに設けられる。標準的な値は、キャパシタＣ２が１００ｐＦ、インダクタＦＢ１が１００ＭＨｚで１００Ω、抵抗器Ｒ３が２４Ωである。
【００２６】
望ましくは、トランジスタＱ１は、例えばＢＣ８４７Ｂのような汎用のＮＰＮトランジスタである。トランジスタＱ１は、キャパシタＣ１の形での容量からベース電圧（Ｑ１のベースでの電圧）を取る。望ましくは、Ｃ１は１０００ｐＦの値を有する。トランジスタＱ１は、約０．６ボルトのベース‐エミッタ接合によってＣ１からベース電圧を降下させ、トランジスタＱ１のエミッタに接続された抵抗器Ｒ２の形の抵抗の接地でない側に、降下された電圧を印加する。抵抗器Ｒ２は、２７Ωの値を有しても良い。Ｑ１のベース電圧が１．１５ボルトと仮定すると、Ｑ１のエミッタ電圧は、約０．５４ボルト（以下）である。２７Ωの抵抗器Ｒ２の両端にかかる０．５４ボルト以下のエミッタ電圧は、該抵抗器を流れる約２０ｍＡの一定電流を設定する。トランジスタＱ１が作動領域に保たれると仮定すると、ＬＥＤ１での電流は、今２０ｍＡ以下で、あるいはその最大定格の直流値で設定される。０．２５ボルトまでベース電圧を下げることによって、エミッタでの電圧は０．２５ボルトだけ下がり、抵抗器Ｒ２での電流は１０ｍＡ以下に下がる。これは、ＬＥＤ１での電流を１０ｍＡ以下に下げる。
【００２７】
トランジスタＱ１でベース電圧を変化させるために、Ｕ１、即ち高精細度テレビ制御ＩＣ内の０から３．３ボルトのＤ／Ａが使用される。基本的に、Ｄ／Ａは、３３ＭＨｚの基本周波数を有するＰＷＭである。Ｄ／Ａは、６４Ｋステップまで許容する３２ビットレジスタ（そのうちの１６ビットのみが使用される）によって制御される。本願では、六つのステップのみが必要とされる。トランジスタＱ１のベースに供給される最大電流を２０ｍＡに制限するために、Ｄ／Ａの０から３．３ボルトの出力は、抵抗器Ｒ１（望ましくは１８ｋΩ）及び抵抗器Ｒ５（望ましくは１０ｋΩ）として具現化される抵抗によって分圧される。その最大出力に設定されたＤ／Ａにより、その時ベース電圧は１．１５ボルトである。ＰＷＭ出力は、積分キャパシタであるキャパシタＣ１とＲ１及びＲ５の並列結合のＲＣ時定数によって積分される。ＰＷＭの周期は約３０ｎｓｅｃである。ＲＣ時定数は、約６μｓｅｃであるように選ばれる。５０ｍｓｅｃ以下の値はどれも、使用者の立場から注目に値する如何なる遅延をも引き起こさない。高速なＰＷＭによって、抵抗器Ｒ１及びＲ５並びにキャパシタＣ１は、ＰＷＭ出力ピンの直ぐ隣に配置される必要がある。一体化されるとすぐに、トランジスタＱ１は、ボード上のどこかに配置されうる。
【００２８】
ベース電圧が約０．６ボルト以下である場合にトランジスタＱ１がオフとなることによって、光度の制御範囲に対する高い端点及び低い端点は、メモリ（ＥＥＰＲＯＭ）に加えられ、Ｄ／Ａを制御するソフトウェア（プログラム命令）によって読み出される。プログラム可能な端点は、最小及び最大の値が、使用される特定のダイオード（光）及びトランジスタに基づいて設計段階の後半で設定されることを可能にする。その時ソフトウェアは、端点間においてステップの数が、目下おおよそ線形な間隔で発生することを可能にする。ＬＥＤ（ダイオード）製造供給元によって提供される曲線に基づいて、これは、光度でおおよそ線形なステップを提供するべきである。従って、強さレベルの制御は、単線又は接続によって実行される。
【００２９】
本発明の一つの様相によれば、ダイオードＬＥＤ１の存在の自動検出は、単線又は接続を介して実行される。望ましくは、自動的な光の存在検出の後、自動光検出用の光回路／論理１５０に（ＦＢ１を介して）結合された積分回路Ｕ２（ＦＰＧＡ）のピンは、ＦＰＧＡ（Ｕ２）内の他のレジスタによって制御されるキーボード１５２の駆動ラインになる。自動検出処理の間、入力ラインが論理“１”レベル（即ち、本場合には２Ｖ）より大きい場合、ＬＥＤ１は、存在すると推測される。入力ラインが０．８Ｖ以下である場合、ＬＥＤ１は存在しないと推測される。ＬＥＤ１が存在する場合、一般にＬＥＤは、２０ｍＡで３．５Ｖの降下を有し、ダイオードでの電流は１００μＡ以下に制限され（Ｒ１０及びＲ１１の直列結合による）、ダイオードの両端での降下は２．５Ｖ以下である。Ｒ７（一般に２．４ｋΩ）がトランジスタＱ１を流れる電流をより良く制御するよう存在する場合、Ｃ２での電圧は５Ｖ以下である。ＦＰＧＡでの４ボルトの最大入力電圧が超えられることを防ぐために、抵抗器Ｒ１０（望ましくは６３ｋΩ）及び抵抗器Ｒ１１（望ましくは１００ｋΩ）の形での抵抗は、ＦＰＧＡのピンで設けられる。抵抗器Ｒ１０及びＲ１１を設けた後、キーボード駆動（ＫＤ）ライン（自動検出ピンでもある）での電圧は、４ボルト以下であるが、論理１の閾値は２Ｖ以上である。ＬＥＤ１がＦＰＧＡのキーボードピンに存在しない場合、抵抗器Ｒ１１は、ＫＤピンがローに引っ張られることを確実にする。
【００３０】
光度の変動に関して、Ｑ１でのベース‐エミッタの変動によるＬＥＤ１からの光出力での変動を低減するために、望ましくは抵抗器Ｒ７の形での抵抗（望ましくは２．４ｋΩ）が、必須ではないが、加えられる。抵抗器Ｒ７は、Ｑ１のコレクタを流れる保証される最小の電流を供給する。本場合に、Ｒ７は２．４ｋΩであるので、ＬＥＤ１は、約２ボルトの“オン”電圧を有する。抵抗器Ｒ７は、ＬＥＤ１がオンとなる前に、Ｑ１のコレクタを流れる電流を約１ｍＡの最小値にする。最小値を用いないと、トランジスタを選別する標準的な如何なる手段も存在せず、結果としてベース‐エミッタ間が更に幅広くなる。
【００３１】
ここで図６を参照すると、概して２００で示される、本発明の一つの様相による模範的な動作方法のフローチャートが表わされる。ブロック又はステップの２０２で、点灯装置が、前もって存在する制御器を有するテレビジョン装置に設けられる。ブロック又はステップの２０４で、自動光存在検出ルーチンが、テレビジョン装置の使用者による最初の電源投入時に実行される。該ルーチンは、頂光（前面パネル配列の光又はテレビジョン装置の外側にあるボタンの光）の存在を確認する。従って、ブロック２０６で、光が検出されるか否かが決められる。光が検出されない場合（即ち“いいえ”）、該ルーチンは、通常の設定が継続するブロック又はステップの２０８に続く。しかし、光が検出される場合（即ち“はい”）、該ルーチンは、ブロック又はステップの２１０に続く。ブロック又はステップの２０２で、光制御メニューがテレビジョンメニューの使用特性のリストに加えられる。その後、ブロック又はステップの２１２で、光制御メニューは、使用者が光のレベル又は強さ（即ち、明るさ）を選択することを可能にする。
【００３２】
回路の最初の試験は、様々な電流回路が３．５Ｖ±０．２Ｖの範囲のＬＥＤ１での順方向電圧と共にうまく働くことを示す。制限は、Ｑ１の限られた動的範囲による。Ｑ１でのコレクタ‐エミッタ間電圧が３００ｍＶ以下に下がる時、Ｑ１のベータは落ち、ベース駆動は増大された特定のエミッタ電流に必要とされる。これは、約６ｍＡだけ変化するコレクタ電流の標準２０ｍＡの最大値をもたらす。回路全体を再設計することなく電流変動を低減するために、Ｒ２の接地側及びＲ５の接地側が−０．５Ｖに変更される。ベース及びエミッタの両回路が同じオフセットを有するので、回路動作は、今Ｑ１がコレクタとエミッタとの間の０．５Ｖ以上の無歪限界を有することを除いては基本的に同一である。この変更は、３ｍＡの最大電流変動を保つ一方で、ＬＥＤ１での順方向電圧スペックが３．６Ｖ±０，２Ｖから３．６Ｖ±０．６Ｖに増やさることを可能にする。−０．５Ｖの限界は、高精細度テレビ制御部のＰＷＭピンでの入力制限によって選ばれる。最初の起動ルーチンの間、高精細度テレビ制御部のピンはトライステートにされ、その時−０．５ＶがＩＣのピンに存在する。ピンの電圧の限界は−０．５Ｖであり、−０．５Ｖに設定された負の供給値をもたらす。
【００３３】
当然ながら、上述されるフローチャートは、手順２００の別の実施例において、より多い、あるいはより少ないステップを有しても良い。同様に、手順全体ではなく、上の手順２００の一部が本発明の原理を実施しても良い。更に、変形が検討されても良い。
【００３４】
本発明が望ましい設計を有するように記述される一方で、本発明は、この開示の精神及び適用の範囲内で更に変形されうる。従って、本願は、その全体的な原理を用いて、本発明に対する如何なる変形、使用、及び適用をも含む。更に、本願は、本発明が属し、添付の請求範囲の限定範囲内にある技術での既知又は従来の方法の中に納まるように、本開示からのこのような逸脱を含む。
【００３５】
この米国特許出願は、“頂光の自動検出及び制御”と題され、２００３年４月２５日に出願された米国仮特許出願の出願番号６０／４６５，８４５の利益及び／又はそれに対する優先権を請求する。その全体の内容は、言及することにより本願で特に具体化される。
【図面の簡単な説明】
【００３６】
【図１】本発明が具現化されるテレビジョン装置の図である。
【図２】本発明の原理による模範的な光の図である。
【図３】本発明の原理による追加の点灯装置を有するテレビジョン装置の図である。
【図４】図３のテレビジョン装置用の模範的な制御器のブロック図である。
【図５】本発明の原理を実施する模範的な回路／論理の回路図である。
【図６】テレビジョン装置内で本発明を実施する模範的な方法のフローチャートである。
【図１】
0004642751.tif 000002
【図２】
0004642751.tif 000003
【図３】
0004642751.tif 000004
【図４】
0004642751.tif 000005
【図５】
0004642751.tif 000006
【図６】
0004642751.tif 000007